(57)【要約】【課題】プールや温泉、クーリングタワー貯水槽、また、水処理施設向けのタイマー装置付、及び、電圧変換装置付固定型電気式浄水装置は電気とイオン浄水の２つを合体させた浄化装置でバクテリアなどの微生物を死滅させ、藻類の繁殖を防止可能とする。【解決手段】本浄水装置は水面下の浄水電極と電極に送電する直流電源装置を備え、基本的には銅と銀から成る溶解性陽極棒とステンレススチールでできていることが好ましい陰極を持っている。銅と銀の金属イオンが溶解性陽極棒から放出され、藻類やバクテリアの成長を妨げるとともに電気的に水を浄化する。浄水装置は電気とイオン浄水の二つを合体させたものであり、電流を制御しながら水量にあわせて変化させるようにし、金属棒から微量の金属イオンを放出することで水の浄化、殺菌の効果を発揮し、解決する。【選択図】図１
2006116519.tif 000002
【特許請求の範囲】
【請求項１】
陰極として螺旋状ワイヤーで囲まれた円筒状の電極と陽極として陰極に取り囲まれた固定電極からなる電解電極棒を備え、電気は流水量にあわせて制御された直流電源を流した電解電極棒により、金属イオンを発生させ、水のイオン化と感電過程で水質を浄化・殺菌する固定型電気式浄水装置。
【請求項２】
直流電源制御は２種類の電源装置により送ることとし、１つは一定電圧をタイマー制御により、通電時間を設定し陽極と陰極に直流電源を送る方法と、もう１つは水環境に必要な電圧、電流を変換機から送ることにより、電極へ直流電源を送る方法で構成されていることを特徴とする請求項１に記載の固定型電気式浄水装置。
【請求項３】
導電合金から成る固体電極を備えた陽極手段の電解電極棒がイオン化作用中、浄水に適したイオンを供給する合金で陽極は陰極に囲まれ装置に組み込まれている請求項１または２に記載の固定型電気式浄水装置。
【請求項４】
螺旋ワイヤー陰極は導電メタルワイヤーからなり、陽極手段を全体的に取り巻き、陽極周囲、螺旋ワイヤー陰極と陽極間に水流を起こす請求項１または２に記載の固定型電気式浄水装置。
【発明の詳細な説明】
【技術分野】
【０００１】
本発明は水の浄化・殺菌が効果的な固定型電気式浄水装置に関するものである。
【背景技術】
【０００２】
本発明は固定型電気式浄水装置であり、具体的には制御盤の直流電源装置と電解浄水電極とが一体化し、浄化電極に接触する水を送り浄化を促進させる。本発明の浄水装置は従来の浄水器ならびに浄水装置及び方法を改善したものである。
【０００３】
一般に水の浄化には消毒剤として塩素を使用しているが、塩素は人体に良好というものでなく、効果的、経済的な消毒剤でもない。人が多く集まる大型店舗屋上のクーリングタワー貯水槽、人気スポットの温泉や風呂、プールなどの消毒は、一般的に、水質衛生のため塩素系の酸化剤を使用しているが、塩素系の酸化剤は反応力が非常に強いので取り扱いには充分注意が必要であり、自然環境に対する関心のいっそうの高まりに伴って、塩素を使用することによる危険性への懸念がますます高まっている。
【０００４】
金属イオンがバクテリアなどの微生物を死滅させ、藻類の発生を防ぐことはよく知られている。銅イオン、銀イオンはバクテリアなどの殺菌効果・繁殖防止効果があり、藻の発生を防止することも知られている。さらに亜鉛、アルミニウム、金イオンも同様の目的で使用できることもわかっている。
【０００５】
従って、本発明の目的は屋内、屋外を問わず水感染細菌と空気感染細菌の量と種類で除去できる改良浄水装置を実現することである。
【０００６】
更なる目的は、プールや温泉、風呂、噴水、池、湖水、沼の水、クーリングタワー貯水槽の水に従来の消毒剤や化学物質や化学薬品を加えることなく、又、加熱などによる殺菌と異なり、金属イオンにより水を浄化する改良浄水装置を実現することである。
【０００７】
もう一つの本発明の目的は殺菌機械装置の過程を多く作り出す金属イオンを持つ浄水装置を実現することであり、単一消毒法での細菌の耐性能力に勝ることを目論んでいる。
【０００８】
本発明は電気による破壊過程において、細菌を死滅させる効果的な浄水電極を実現するために比較的低い電圧、低い流出率を使用する電源装置を用いた浄水装置の実現を目的としている。
【０００９】
本発明は浄水装置に関する問題について、高電圧入力から低電圧（例：６V）への変換、タイマーによる電気制御を行ない、ガスの発生、腐食、安全性などを解決する浄水装置の実現も目的としている。
【００１０】
従来の浄水器の欠点を解決する浄水装置の実現も本発明の目的である。従来の機器は主に機器の部品構成ならびに設備に焦点を当ててきたが、本発明は浄水装置とその過程全体への独得な発想の実現により問題解決への手がかりとしている。
【００１１】
本発明の更なる目的は固定された浄水電極やそれに必要な直流電源装置で移動・動作する必要のない浄水装置を実現することであり、動きと流れを作り出すのに自然の水流を利用し、独自の特殊機械装置を採用することで構造の無駄を省き、一段と高性能・ローコストの固定装置型ながら移動水による浄水装置を実現している。
【特許文献１】ＡＵ５１９１８９０−１９９０−０９−２６
【特許文献２】ＵＳ５０５９２９６Ａ−１９９１−１０−２２
【特許文献３】ＵＳ５０８５７５３Ａ−１９９２−０２−０４
【特許文献４】ＷＯ９０１００９７Ａ１−１９９０−０９−７
【発明の開示】
【発明が解決しようとする課題】
【００１２】
上記のように、従来の装置や方法の場合、金属イオン利用の点ではやや効率が悪かった。知られている従来の装置は望ましい結果を得るため、複雑な電気設備で調整を中心としてきた。結果として装置は高価かつ複雑で特別な据付や調整を必要とし、製造コストも稼動コストも高いものとなる。
【００１３】
従来、種々の殺菌・藻の発生防止機械装置において、浄水機器がいろいろな浄水電極で起こっているのを認めている。これらの装置は水中の銅銀電極から銅イオン、銀イオンが出ている水に過硫酸ナトリウムを加えたり食塩を充分量加え導電性にした水を二つの電極間に循環させたりしながら、過剰に作られた陽極反応生成物や浄水電極電流と処理水温度の直線関係を利用している。しかしながら、従来の装置で本発明が明かにした細菌の電気的破壊を有効とする重要で有用な要素を特定したものはない。
【００１４】
分かっている従来装置の他の欠点は電極の電圧の使用が原因のようであり、少なくとも欠点のいつかは過剰ガス発生や腐食、浄水電極への浮石や付着物の堆積といった浄水電極に関する問題が原因と思料される。その結果、効率が落ち、破壊、浄水電極も度重なる清掃となったりする。これらの問題点の多くは効率面を犠牲にし、処理水の接触時間や浄水電極間の滞留時間を長くするなどして対応していたが、電圧の電位を低くしタイマーによる時間制御を行なうことによって解決可能と思料する。
【課題を解決するための手段】
【００１５】
本発明は処理水の接触時間や浄水滞留時間を長くするなどして、電圧の電位を水環境に応じて変化させることである。それは、タイマーを組み込み時間制御することによって解決可能であり、屋内、屋外にて化学物質や消毒剤を水に加えることなく浄化することを最も主要な特徴とする。装置は螺旋ワイヤー陰極を備えた陰極手段、ならびに、固体電極を備えた陽極手段、及び、導電性の素材でできた溶解性陽極手段である。溶解性陽極棒がイオン化作用中、浄水に適したイオンを供給する合金であるとともに溶解性陽極が導電性に適した元素金属であり遷移金属から成る。溶解性陽極は金属グループ（銅、銀、金、プラチナ、亜鉛、アルミニウム、チタニウム）の導電合金から成り螺旋ワイヤー陰極は陽極手段を取り巻き、陽極周囲、螺旋ワイヤー陰極と陽極間に水流を起こす浄水装置。複数の電極、陽極と陰極を含み、陰極は電源部で接続されている螺旋ワイヤーで陽極は陰極に囲まれ、装置に組み込まれている。その基材は直流電源装置・陽極の導電接続と陰極導電接続間に適切な接続を与える手段を含んでいる。浄水装置は制御盤に配線された直流電源装置、ならびに銅銀合金の陽極を含む溶解性電極、ならびに適した金属または合金の陰極を備える。浄水方法の順序は処理水面下の陽極及び陰極に電気を送るための直流電源装置が稼動する。まず、その電源手段の出力に接続しているプラス出力端子に陽極手段を接続することである。また、陽極手段は導電性元素金属、陰極手段は導電メタルワイヤーから成り、電源手段の一方の出力に接続しているマイナス出力端子に陰極手段を接続することである。陽極手段と陰極手段周辺に水流を与えながら、陽極手段を取り囲むように螺旋状にワイヤーをねじること、また、電源部から電気を供給し、それによって固定電源から浄化に必要なイオンを自由にし、水中の藻や細菌を殺し、発生を抑えるのに十分な金属イオンである銅イオンと銀イオンを作り出すことである。更に、浄水装置を固定、浄水を局部的にし、水の流れが浄水装置に関連する作用により水を送ることを可能とし電子抽出と酸素添加により水を酸化する段階を含むことである。浄水装置は制御盤の直流電源装置として処理水面下に陽極と陰極の直流電源装置浄化手段を備え、直流電源装置を通して陽極と陰極を電源に接続する手段、それにより処理水に設置された時に固定型電気式浄水装置を実現する。
【発明の効果】
【００１６】
本発明の固定型電気式浄水装置は固定された浄水電極や制御盤の直流電源装置で動きと流れを作り出すのに自然の水流を利用し、従来の浄水装置の欠点を解決する効果がある。
【発明を実施するための最良の形態】
【００１７】
従来の機器は主に機器の部品構成、設備に焦点を当ててきたが、本発明は浄水装置とその過程全体への新たな独創的な発想により電源装置または可能な限り電源装置側端部に殺菌機械装置のある過程を多く作り出す電源装置を持つ浄水装置を実現した。
【実施例１】
【００１８】
図１から図６は本発明の浄水装置実施例。この浄水電極は処理水上の水流に対応するとともに循環区域内に設置することにより大量の浄水を実現するように改良されている。本発明の浄水部分を繋ぐことで水流が電極装置と連動して大量の水を送りながら部分的な浄水を可能にしている。
【００１９】
実例にある電気式浄水電極は本発明の応用力を全体的に高めている。図１から図４は浄化装置を示し、電気手段を電源部に繋ぎ備えた実例である。適切な電源は図５から図６の定電圧タイマー制御方式と電圧変換制御方式のどちらかを水の浄化へ必要な電気量をもとに選択して使うこととしている。浄水装置、安全装置のような手段は電源部が取り外し可能になっている。
【００２０】
浄化装置は主な電解構成部分となっている陽極手段や陰極手段などの電極を持っている。実施例では陽極手段は溶解性陽極から、また、陰極手段は螺旋ワイヤー陰極から成る。電極は２種類の電源装置により送る事とし、１つは一定電圧をタイマー制御にて通電時間を設定し陽極と陰極に直流電源を送る方法と、もう１つは水環境に必要な電圧・電流を変換機から送ることにより電極へ直流電源を送る方法で構成させている。
【００２１】
浄水装置、図１から図４では基板として樹脂板に、また、螺旋ワイヤー電極はステンレス板に溶接されたものをビスにて取り付けてあり、その端をマイナス極の端子とし、基板中央部では螺旋ワイヤーの円内センターに溶解性陽極の取り付けボルトが取り付けられ、取り付けボルトをプラス極の端子としている。溶解性陽極は時計の逆回しで溶解性陽極棒を取り外して取り換えることができる。
【００２２】
陽極は導電元素金属である金属合金で作られ、陽極の組成は基本的に銅８８%で銀２%亜鉛１０％。他の割合や合金、導電材料も陽極に使える。たとえば、陽極は金、プラチナ、亜鉛、アルミ二ウム、チタンなど適切な遷移金属でも作ることができ、本発明の電解浄水電極は陽極の銅銀合金でできている。陰極は、導電素材（亜鉛メッキ鉄ワイヤー、または、ステンレスワイヤー、チタニウムワイヤーなどから一つ）で、陽極と陰極、陰極コイルの間を水が流れるように陰極は陽極を取り巻き囲んでいる。実施例の図１に示されているように籠の一部は浄水電極に取り付けられている。
【００２３】
実施例では、制御盤の直流出力電源はケーブルにて、浄水装置の溶解性電極にはプラス、螺旋ワイヤー電極にはマイナスを接続する。接続端子は図１から図４より、Ａ端子はプラス極、Ｂ端子はマイナス極になっている。制御盤より浄化装置に送られる電気量は求められる浄水率を実現させるのに必要な量はタイマー、もしくは、電圧の変化でもって制御を行なっている。装置は電源部から電流が電極装置を通り、浄水過程が起きるように水中に置かれるともに制御盤は任意に設置する。浄水過程は金属イオンのイオン化を含んでいる。本発明の過程は酸化（電子が抽出され、酸素が物質と化合し、金属棒へ緑青やカルシウムが付着するので除去）と感電過程（細菌が電極に触れることで死ぬ）を用いている。
【００２４】
本装置は幾何学形の電極を持ち螺旋ワイヤー陰極を備えおり、この陰極はコイルバネ状で中心の固体金属陽極周囲で有益な特徴を作り出している。大事な特徴の一つは、陰極コイルスプリングのコイル中と周囲で水の流れを自然に引き起こすことである。このコイル調整は長さと体積当たりかなり大きな表面積を持ち、微生物の接触時間を電気破壊に充分なものとしている。
【００２５】
もう一つの大事な特徴は、スプリング効果で陰極にたまる浮石を取り除くのが簡単である。本装置は通常、自然な流れにより、または、本装置の位置によってはポンプ装置、循環装置の流れによる水に対しても可能である。処理水の状態により、定期使用や毎日の短時間使用が可能となる。水はその経路の開口部からもう一方の開口部へと流れ出る。閉鎖型経路は水流により、コイルの開口部分に対して流量が多すぎるようなケースに使われる。
【００２６】
望ましいイオンレベルが得られれば、塩素や他の消毒剤の使用は極端に減少するか必要がなくなる。消毒剤の使用は本装置の使用頻度、水の使用、その他可変要素によって決まる。更に、数週間の継続使用後、スプリング陰極に付着したカルシウムは浄水装置の効率を減少させるので除去する必要がある。尚、スプリング陰極にたまったカルシウムは簡単に除去することができる。
【００２７】
テストによると陽極は数年の使用で使い尽くされ、導電ボルトに取り付けられた細い電極棒を残すのみとなる。陽極の取替は元の陽極のネジを外し、新しい陽極をその位置に取り付ければ良い。ネジ接続が望ましいが陽極を電源につなぐ他の同様の導電接続手段も可能である。
【００２８】
本発明は特定量の水処理用とは限らない。実施例ではクーリングタワー貯水槽、ならびに噴水、池への使用だが、風呂や温泉などのより少ない水量用にサイズを小さくできる。また、浄水装置への通電をタイマー制御、電圧制御ができる。
【００２９】
平板電極を採用している電解電極の研究では微生物を殺す率は直線的に出力に従って増加し、同じパワーレベルであっても電圧は電流よりインパクトが大きいことが明かになった。この研究では、微生物を殺すためには微生物が電極に近づき、接触する必要があるということも明かになっており、浄水電極の効果にとって表面積の重要性を裏付けている。
【００３０】
これらの電極に関する試験で電極との接触時間が重要であること、浄水電極へ通過中の電圧、表面積、体積流量の組み合わせの機能が明らかになった。一般的に、２Vの電圧レベルで長い接触時間は浄水電極への極めて低い流量という結果になることがわかっている。効果的な消毒をするための体積流量は、通常、プールや温泉施設に関して使われるものより、ずっと低くする必要があるとの結論が導き出せる。また、試験結果によれば、電力量の増加をすることなく、電圧を高め、浄水電極を通る水流を増やして接触時間を短くできるとともにタイマー操作による制御、及び、電圧制御が行なえることが示されている。
【００３１】
電圧、表面積、流量などの要素が本発明の電解電極で適切に用いられた場合、大腸菌、緑膿菌、肺炎菌、枯草菌を殺すのに効果的である。
【００３２】
実施例での本発明の浄化電極の陰極はコイルスプリングの形としている。円形の陽極は、コイルスプリングに取り巻かれるようになっている。それにより、本発明は精力的な浄化電極のための新しくて有益な特徴を多く備えている。ねじれたワイヤーを用いることで、ワイヤー単位長さ当たり、そして、陰極と陽極の結合である浄水電極単位体積当たりでの表面積を最大限に使うことができる。
【００３３】
陰極のコイル、または、ワイヤーループの間隔を変えると電極の水の出入口を固定しない開口型電極に変わる。コイルの間隔を狭くすると水が一方から入り、もう一方から出る閉鎖型電極、または、浄水経路となる。電解電極が縦方向に向き６V以上の電圧で、水の自然の流れが上向きに電極周辺に起こり、電極周辺の体積流量が低く接触時間が長いなら電極は開口型でも閉鎖型でもよい。
【００３４】
中くらいのコイル空間は開口型電極と閉鎖型電極を組み合わせた別の実施例となる。この組み合わせ浄水電極では浄水細胞の処理水に対する相対速度によって、水が早く軸方向に流れることができる。
【００３５】
この広報に基づき、当技術分野の技術者なら水が陰極コイルの底から入り、開口部から出る閉鎖型の電極を実現するコイル空間を決定できる。本状の説明にあるように、水流のために陰極コイルへの体積流量が多くなりすぎた場合、又、より少ない体積流量より効果が少ない場合には閉鎖型陰極は使用される。
【００３６】
スプリングスチールワイヤーはコイル電極の伸縮を可能にすることがよく分かるであろう。その伸縮はワイヤーの回転運動を作りだし、それにより、ねじれの力が陰極にたまる浮石や堆積物にかかる。このねじれの力により浮石やたまったものが暖められ、陰極から除去するのを簡単にする。このようにして、電極のマニュアルクリーニングはコイルスプリング型電極の便利な点である。
【００３７】
装置はさまざまな所に取り付け可能であり、改良浄水装置は処理水の薬剤による浄化の必要はない。実施例での浄化装置は単純かつ最も簡単で、どこにでもある電源を使用する。
【００３８】
本発明は浄水に２つの過程を使い、水流や寸法偏差、簡単に清掃ができることを可能にする陰極図案となっている。
【００３９】
詳細を述べたので当技術分野の技術者なら本発明の本質から逸脱することなく改良を加えることができる。そこで、本発明の範囲は述べられたきた特定の実施例に限らず、むしろ、添付の特許請求及びそれに相当するものにより決定される。
【産業上の利用可能性】
【００４０】
本発明の１つは装置に取付けたタイマーを用いて容易に時間の調整、選択ができ、一方別の装置は直流電源の変化する方法により、従来の化学物質や消毒剤を水に加えることなく、又、加熱などによる殺菌手段と異なり付属装置を必要とせず場所も取らず、浄化殺菌ができ、屋内、屋外を問わず、小規模から大規模施設まで幅広く利用可能である。
【図面の簡単な説明】
【００４１】
【図１】固定型電気式浄水装置の正面図を示した説明図である。
【図２】固定型電気式浄水装置の側面図を示した説明図である。
【図３】固定型電気式浄水装置の平面図を示した説明図である。
【図４】固定型電気式浄水装置の底面図を示した説明図である。
【図５】固定型電気式浄水装置の電極への電圧変換制御方式を示した電気回路説明図である。
【図６】固定型電気式浄水装置の電極への定電圧タイマー制御方式を示した電気回路説明図である。
【符号の説明】
【００４２】
１  樹脂製基板（絶縁性）  
２  螺旋ワイヤー取り付け板（ステンレス製）
３  溶解性電極取り付けボルト（ＳＵＳ）Ａ極
４  螺旋ワイヤー取り付け板  セットビス  Ｂ極
５  溶解性電極
６  螺旋ワイヤー（ステンレス製）
７  スペンサー
８  スペンサー  セットボルト
９  柱（ステンレス製）
１０  底板（絶縁性）
【図１】
2006116519.tif 000003
【図２】
2006116519.tif 000004
【図３】
2006116519.tif 000005
【図４】
2006116519.tif 000006
【図５】
2006116519.tif 000007
【図６】
2006116519.tif 000008
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
水中に配置して用いる電気式浄水装置であって、脚部を４隅に備えた電気絶縁性の基板と、この基板の中央部に垂下するように取付けた銅または銅銀合金からなる円柱状の溶解陽電極棒と、前記溶解陽電極棒を同心円状に取り囲むよう配置された螺旋状金属ワイヤーからなる陰電極と、この陽、陰両電極間の水の移動量にあわせて制御された直流電流を両電極間に流す直流電源とからなり、通電によって溶解陽電極棒から発生する金属イオンで、前記水を殺菌浄化する電気式浄水装置。
【手続補正２】
【補正対象書類名】明細書
【補正対象項目名】００１５
【補正方法】変更
【補正の内容】
【００１５】
本発明は処理水の接触時間や浄水滞留時間を長くするなどして、電圧の電位を水環境に応じて変化させることである。それは、タイマーを組み込み時間制御することによって解決可能であり、屋内、屋外にて化学物質や消毒剤を水に加えることなく浄化することを最も主要な特徴とする。装置は螺旋ワイヤー陰極を備えた陰極手段、ならびに、固体電極を備えた陽極手段、及び、導電性の素材でできた溶解性陽極手段である。溶解性陽極棒がイオン化作用中、浄水に適したイオンを供給する合金であるとともに溶解性陽極が導電性に適した元素金属であり遷移金属から成る。溶解性陽極は金属グループ（銅、銀、金、プラチナ、亜鉛、アルミニウム、チタニウム）の導電合金から成り螺旋ワイヤー陰極は陽極手段を取り巻き、陽極周囲、螺旋ワイヤー陰極と陽極間に水流を起こす浄水装置。複数の電極、陽極と陰極を含み、陰極は電源部で接続されている螺旋ワイヤーで陽極は陰極に囲まれ、装置に組み込まれている。その基材は直流電源装置・陽極の導電接続と陰極導電接続間に適切な接続を与える手段を含んでいる。浄水装置は制御盤に配線された直流電源装置、ならびに銅銀合金の陽極を含む溶解性電極、ならびに適した金属または合金の陰極を備える。浄水方法の順序は処理水面下の陽極及び陰極に電気を送るための直流電源装置が稼動する。まず、その電源手段の出力に接続しているプラス出力端子に陽極手段を接続することである。また、陽極手段は導電性元素金属、陰極手段は導電メタルワイヤーから成り、電源手段の一方の出力に接続しているマイナス出力端子に陰極手段を接続することである。陽極手段と陰極手段周辺に水流を与えながら、陽極手段を取り囲むように螺旋状にワイヤーをねじること、また、電源部から電気を供給し、それによって固定電源から浄化に必要なイオンを発生させ、水中の藻や細菌を殺し、発生を抑えるのに十分な金属イオンである銅イオンと銀イオンを作り出すことである。更に、浄水装置を固定、浄水を局部的にし、水の流れが浄水装置に関連する作用により水を送ることを可能とし電子抽出と酸素添加により水を酸化する段階を含むことである。浄水装置は制御盤の直流電源装置として処理水面下に陽極と陰極の直流電源装置浄化手段を備え、直流電源装置を通して陽極と陰極を電源に接続し、通電によって溶解陽電極棒から金属イオンを発生する手段、それにより処理水に設置された時に水を殺菌浄化する固定型電気式浄水装置を実現するものである。
【手続補正３】
【補正対象書類名】明細書
【補正対象項目名】００２１
【補正方法】変更
【補正の内容】
【００２１】
浄水装置は図１から図４に示す通り、基板として樹脂板の４隅に脚部をなす４本のボルトを備えた電気絶縁性基板と、この基板の中央部に垂下するように取付けられた銅または銅銀合金からなる円柱状の溶解陽電極棒と、前記溶解陽電極棒を同心円状に取り囲むよう配置された螺旋状金属ワイヤーからなる陰電極と、この陽、陰両電極間の水の移動量にあわせて制御された直流電流を両電極間に流す直流電源とからなる。また、螺旋状ワイヤー電極はステンレス板に溶接されたものをビスにて取り付けてあり、その端をマイナス極の端子とし、一端が螺旋状ワイヤーの円内センターに溶解性陽電極棒の取り付けボルトが取り付けられ、取り付けボルトをプラス極の端子としている。溶解性陽電極棒は時計の逆回しでその取り外し取り換えることができる。